【手続補正書】
【提出日】平成16年8月31日(2004.8.31)
【手続補正１】
【補正対象書類名】特許請求の範囲
【補正対象項目名】全文
【補正方法】変更
【補正の内容】
【特許請求の範囲】
【請求項１】
振動部と接続部と支持部とを具えて構成される水晶振動子で、前記振動部の上下面には極性の異なる少なくとも一対の電極が対抗して配置されていて、前記水晶振動子は輪郭モードで振動する輪郭水晶振動子で、振動部と接続部と支持部とを具えて構成される前記水晶振動子は粒子法と化学的エッチング法の内の少なくとも一つの方法により一体に形成され、前記振動子の圧電定数ｅ１２の絶対値が０．０９５Ｃ／ｍ２〜０．１８Ｃ／ｍ２の範囲内にあることを特徴とする水晶振動子。
【請求項２】
振動部と接続部と支持部とを具えて構成される水晶振動子で、前記振動部の上下面には極性の異なる少なくとも一対の電極が対抗して配置され、前記水晶振動子は輪郭モードで振動する輪郭水晶振動子で、前記水晶振動子の振動部の角が切り取られているか、又は振動部が円板形状であることを特徴とする水晶振動子。
【請求項３】
水晶振動子とケースと蓋とを具えて構成される水晶ユニットであって、前記水晶振動子は振動部と固定部を有する基部からなり、かつ、一体に形成されている輪郭モードで振動する輪郭水晶振動子で、前記振動部は上面と下面と側面とを有し、前記振動部に溝が設けられ、前記溝とその溝に対抗して互いに極性の異なる電極が配置されていて、前記電極間の圧電定数ｅ１２の絶対値が０．１２３Ｃ／ｍ２〜０．１８Ｃ／ｍ２の範囲内にあることを特徴とする水晶ユニット。
【請求項４】
輪郭モードで振動する水晶振動子の基部に突出部が設けられ、前記突出部は水晶振動子を収納するユニットのケース、又は蓋に固定されていることを特徴とする請求項３に記載の水晶ユニット。
【請求項５】
輪郭モードで振動する水晶振動子の基部の片側のみに複数個の振動部が設けられ、前記複数個の振動部の内の２個が基本波モードで、且つ、逆相で振動し、前記水晶振動子の主振動である基本波モード振動と副振動である２次高調波モード振動の周波数安定係数をそれぞれＳｎとＳｆとするとき、ＳｎとＳｆがＳｎ＝ｒｎ／２Ｑｎ２とＳｆ＝ｒｆ／２Ｑｆ２で与えられ、Ｓｎ＜Ｓｆの関係を有することを特徴とする請求項３又は請求項４に記載の水晶ユニット。
【請求項６】
水晶振動子と増幅器とコンデンサーと抵抗素子とを具えて構成される水晶発振器において、前記水晶発振器の出力信号が前記水晶振動子の主振動の発振周波数であって、前記水晶振動子は振動部と接続部と支持部とを具えて構成され、前記振動部の上下面には極性の異なる少なくとも一対の電極が対抗して配置されていて、前記水晶振動子は輪郭モードで振動する輪郭水晶振動子で、振動部と接続部と支持部とを具えて構成される前記水晶振動子は粒子法と化学的エッチング法の内の少なくとも一つの方法により一体に形成され、前記振動子の圧電定数ｅ１２の絶対値が０．０９５Ｃ／ｍ２〜０．１８Ｃ／ｍ２の範囲内にあることを特徴とする水晶発振器。
【請求項７】
輪郭水晶振動子の主振動の等価直列抵抗Ｒｎが副振動の等価直列抵抗Ｒｆより小さい輪郭水晶振動子を具えて水晶発振器は構成されると共に、増幅回路と帰還回路とを具えて構成される前記水晶発振器の増幅回路の主振動の負性抵抗の絶対値｜−ＲＬｎ｜と主振動の等価直列抵抗Ｒｎとの比が増幅回路の副振動の負性抵抗の絶対値｜−ＲＬｆ｜と副振動の等価直列抵抗Ｒｆとの比より大きくなるように前記水晶発振器は構成され、主振動は輪郭水晶振動子の基本波モード振動または高調波モード振動であることを特徴とする請求項６に記載の水晶発振器。
【請求項８】
振動部と接続部と支持部とを具えて構成され、輪郭モードで振動する水晶振動子の製造方法で、
振動部の上下面に極性の異なる少なくとも一対の電極を対抗して配置する工程と、
振動部と接続部と支持部とを具えて構成される前記水晶振動子を粒子法及び／又は化学的エッチング法により一体に形成する工程と、を有し、
前記水晶振動子は輪郭モードで振動する振動子で、前記振動子の圧電定数ｅ１２の絶対値が０．０９５Ｃ／ｍ２〜０．１８Ｃ／ｍ２の範囲内にあり、且つ、前記接続部は前記振動部の大略長さ方向、又は大略幅方向に設けられていて、前記長さ方向、又は前記幅方向はｚ″軸方向にあることを特徴とする水晶振動子の製造方法。
【請求項９】
振動部と固定部を有する基部からなり、かつ、一体に形成されている輪郭モードで振動する水晶振動子の製造方法で、前記水晶振動子の振動部は上面と下面と側面とを有し、前記振動部の上面と下面に溝を形成する工程と、
電極間の圧電定数ｅ１２の絶対値が０．１２３Ｃ／ｍ２〜０．１８Ｃ／ｍ２の範囲内にあるように、前記溝とその溝に対抗して互いに極性の異なる電極を配置する工程と、を有し、
前記振動部と前記溝は別々の工程で形成されていることを特徴とする水晶振動子の製造方法。
【請求項１０】
水晶振動子とケースと蓋とを具えて構成される水晶ユニットの製造方法で、前記水晶振動子は振動部と接続部と支持部とを具えて構成され、前記振動部の上下面に極性の異なる少なくとも一対の電極を対抗して配置する工程と、
振動部と接続部と支持部とを具えて構成される前記水晶振動子を粒子法及び／又は化学的エッチング法により一体に形成する工程と、
前記水晶振動子をケース又は蓋の固定部にマウントする工程と、
マウントの後に周波数を調整する工程と、
ケースと蓋とを接合部材を介して接合する工程と、を有し、
前記水晶振動子は輪郭モードで振動する輪郭水晶振動子で、前記振動子の圧電定数ｅ１２の絶対値が０．０９５Ｃ／ｍ２〜０．１８Ｃ／ｍ２の範囲内にあり、且つ、前記接続部は前記振動部の大略長さ方向、又は大略幅方向に設けられていて、前記長さ方向、又は前記幅方向はｚ″軸方向にあることを特徴とする水晶ユニットの製造方法。
【請求項１１】
水晶振動子と増幅器とコンデンサーと抵抗素子とを具えて構成される水晶発振器の製造方法で、
前記水晶振動子は輪郭モードで振動する輪郭水晶振動子で、前記輪郭水晶振動子を粒子法及び／又は化学的エッチング法により形成する工程と、
前記輪郭水晶振動子を収納するケース又は蓋の固定部にマウントする工程と、
マウントの後に周波数を調整する工程と、
ケースと蓋とを接合部材を介して接合する工程と、を有し、
前記輪郭水晶振動子を駆動する圧電定数ｅ１２の絶対値が０．１２３Ｃ／ｍ２〜０．１８Ｃ／ｍ２の範囲内にあり、
前記輪郭水晶振動子の主振動の等価直列抵抗Ｒｎが副振動の等価直列抵抗Ｒｆより小さい輪郭水晶振動子を具えて前記水晶発振器は構成されると共に、
増幅回路と帰還回路とを具えて構成される前記水晶発振器の増幅回路の主振動の負性抵抗の絶対値｜−ＲＬｎ｜と主振動の等価直列抵抗Ｒｎとの比が増幅回路の副振動の負性抵抗の絶対値｜−ＲＬｆ｜と副振動の等価直列抵抗Ｒｆとの比より大きくなるように前記水晶発振器は構成されていて、
前記輪郭水晶振動子を具えて構成された前記水晶発振器の出力信号が主振動の発振周波数で、且つ、前記主振動は輪郭水晶振動子の基本波モード振動、又は高調波モード振動であることを特徴とする水晶発振器の製造方法。
【請求項１２】
輪郭水晶振動子の振動部には互いに極性の異なる電極が少なくとも１対対抗して配置されていることを特徴とする請求項１１に記載の水晶発振器の製造方法。
【請求項１３】
輪郭水晶振動子の振動部は上面と下面と側面とを有し、前記振動部に溝が設けられ、前記溝とその溝に対抗して互いに極性の異なる電極が配置されていて、前記電極間の圧電定数ｅ１２の絶対値が０．１２３Ｃ／ｍ２〜０．１８Ｃ／ｍ２の範囲内にあることを特徴とする請求項１１又は請求項１２に記載の水晶発振器の製造方法。
【請求項１４】
輪郭モードで振動する輪郭水晶振動子は振動部と基部とを具えて構成され、前記基部に突出部が設けられ、前記突出部は水晶振動子を収納するユニットのケース、又は蓋の固定部に固定されていることを特徴とする請求項１１から請求項１３の何れかに記載の水晶発振器の製造方法。
【請求項１５】
輪郭モードで振動する輪郭水晶振動子は振動部と基部とを具えて構成され、前記基部の片側のみに複数個の振動部が設けられ、前記複数個の振動部の内の２個が基本波モードで、且つ、逆相で振動し、前記輪郭水晶振動子の主振動である基本波モード振動と副振動である２次高調波モード振動の周波数安定係数をそれぞれＳｎとＳｆとするとき、ＳｎとＳｆがＳｎ＝ｒｎ／２Ｑｎ２とＳｆ＝ｒｆ／２Ｑｆ２で与えられ、Ｓｎ＜Ｓｆの関係を有することを特徴とする請求項１１から請求項１４の何れかに記載の水晶発振器の製造方法。
【手続補正２】
【補正対象書類名】明細書
【補正対象項目名】０００５
【補正方法】変更
【補正の内容】
【０００５】  即ち、本発明の水晶振動子の第１の態様は、振動部と接続部と支持部とを具えて構成される水晶振動子で、前記振動部の上下面には極性の異なる少なくとも一対の電極が対抗して配置されていて、前記水晶振動子は輪郭モードで振動する輪郭水晶振動子で、振動部と接続部と支持部とを具えて構成される前記水晶振動子は粒子法と化学的エッチング法の内の少なくとも一つの方法により一体に形成され、前記振動子の圧電定数ｅ１２の絶対値が０．０９５Ｃ／ｍ２〜０．１８Ｃ／ｍ２の範囲内にある水晶振動子である。
本発明の水晶振動子の第２の態様は、振動部と接続部と支持部とを具えて構成される水晶振動子で、前記振動部の上下面には極性の異なる少なくとも一対の電極が対抗して配置され、前記水晶振動子は輪郭モードで振動する輪郭水晶振動子で、前記水晶振動子の振動部の角が切り取られているか、又は振動部が円板形状である水晶振動子である。
本発明の水晶ユニットの第１の態様は、水晶振動子とケースと蓋とを具えて構成される水晶ユニットであって、前記水晶振動子は振動部と固定部を有する基部からなり、かつ、一体に形成されている輪郭モードで振動する水晶振動子で、前記振動部は上面と下面と側面とを有し、前記振動部に溝が設けられ、前記溝とその溝に対抗して互いに極性の異なる電極が配置されていて、前記電極間の圧電定数ｅ１２の絶対値が０．１２３Ｃ／ｍ２〜０．１８Ｃ／ｍ２の範囲内にある水晶ユニットである。
本発明の水晶発振器の第１の態様は、水晶振動子と増幅器とコンデンサーと抵抗素子とを具えて構成される水晶発振器で、前記水晶振動子は振動部と接続部と支持部とを具えて構成され、前記振動部の上下面には極性の異なる少なくとも一対の電極が対抗して配置されていて、前記水晶振動子は輪郭モードで振動する輪郭水晶振動子で、振動部と接続部と支持部とを具えて構成される前記水晶振動子は粒子法と化学的エッチング法の内の少なくとも一つの方法により一体に形成され、前記振動子の圧電定数ｅ１２の絶対値が０．０９５Ｃ／ｍ２〜０．１８Ｃ／ｍ２の範囲内にあり、前記輪郭水晶振動子を具えて構成された前記水晶発振器の出力信号が主振動の発振周波数を有する水晶発振器である。
本発明の水晶振動子の製造方法の第１の態様は、振動部と接続部と支持部とを具えて構成される水晶振動子の製造方法で、振動部の上下面に極性の異なる少なくとも一対の電極を対抗して配置する工程と、振動部と接続部と支持部とを具えて構成される前記水晶振動子を粒子法及び／又は化学的エッチング法により一体に形成する工程と、を有し、前記水晶振動子は輪郭モードで振動する振動子で、前記振動子の圧電定数ｅ１２の絶対値が０．０９５Ｃ／ｍ２〜０．１８Ｃ／ｍ２の範囲内にあり、且つ、前記接続部は前記振動部の大略長さ方向、又は大略幅方向に設けられていて、前記長さ方向、又は前記幅方向はｚ″軸方向にある水晶振動子の製造方法である。
本発明の水晶振動子の製造方法の第２の態様は、振動部と固定部を有する基部からなり、かつ、一体に形成されている輪郭モードで振動する水晶振動子の製造方法で、前記水晶振動子の振動部は上面と下面と側面とを有し、前記振動部の上面と下面に溝を形成する工程と、電極間の圧電定数ｅ１２の絶対値が０．１２３Ｃ／ｍ２〜０．１８Ｃ／ｍ２の範囲内にあるように、前記溝とその溝に対抗して互いに極性の異なる電極を配置する工程と、を有し、前記振動部と前記溝は別々の工程で形成されている水晶振動子の製造方法である。
本発明の水晶ユニットの製造方法の第１の態様は、水晶振動子とケースと蓋とを具えて構成される水晶ユニットの製造方法で、前記水晶振動子は振動部と接続部と支持部とを具えて構成され、前記振動部の上下面に極性の異なる少なくとも一対の電極を対抗して配置する工程と、振動部と接続部と支持部とを具えて構成される前記水晶振動子を粒子法及び／又は化学的エッチング法により一体に形成する工程と、前記水晶振動子をケース又は蓋の固定部にマウントする工程と、マウントの後に周波数を調整する工程と、ケースと蓋とを接合部材を介して接合する工程と、を有し、前記水晶振動子は輪郭モードで振動する輪郭水晶振動子で、前記振動子の圧電定数ｅ１２の絶対値が０．０９５Ｃ／ｍ２〜０．１８Ｃ／ｍ２の範囲内にあり、且つ、前記接続部は前記振動部の大略長さ方向、又は大略幅方向に設けられていて、前記長さ方向、又は前記幅方向はｚ″軸方向にある水晶ユニットの製造方法である。
本発明の水晶発振器の製造方法の第１の態様は、水晶振動子と増幅器とコンデンサーと抵抗素子とを具えて構成される水晶発振器の製造方法で、前記水晶振動子は輪郭モードで振動する輪郭水晶振動子で、前記輪郭水晶振動子を粒子法及び／又は化学的エッチング法により形成する工程と、前記輪郭水晶振動子を収納するケース又は蓋の固定部にマウントする工程と、マウントの後に周波数を調整する工程と、ケースと蓋とを接合部材を介して接合する工程と、を有し、前記輪郭水晶振動子を駆動する圧電定数ｅ１２の絶対値が０．１２３Ｃ／ｍ２〜０．１８Ｃ／ｍ２の範囲内にあり、前記輪郭水晶振動子の主振動の等価直列抵抗Ｒｎが副振動の等価直列抵抗Ｒｆより小さい輪郭水晶振動子を具えて前記水晶発振器は構成されると共に、増幅回路と帰還回路とを具えて構成される前記水晶発振器の増幅回路の主振動の負性抵抗の絶対値｜−ＲＬｎ｜と主振動の等価直列抵抗Ｒｎとの比が増幅回路の副振動の負性抵抗の絶対値｜−ＲＬｆ｜と副振動の等価直列抵抗Ｒｆとの比より大きくなるように前記水晶発振器は構成されていて、前記輪郭水晶振動子を具えて構成された前記水晶発振器の出力信号が主振動の発振周波数で、且つ、前記主振動は輪郭水晶振動子の基本波モード振動、又は高調波モード振動である水晶発振器の製造方法である。